(57)【特許請求の範囲】
【請求項１】
ケースの取出口に設けられる引き違い構造の扉に取り付けられる把手であって、該把手は、扉の端縁部に装着される基部と、該基部に突設された把持部とを備え、該把手における他の扉の端縁が面する領域であって、該把手基部の長手方向の両端部付近に、扉を開いたときに上記他の扉の端縁が当接して摺動し得る緩衝面を局所的に形成したことを特徴とする把手。
【請求項２】
前記緩衝面は凹曲面又は傾斜面である請求項１に記載する把手。
【請求項３】
前記基部の先端部位を先細り形状に形成した請求項１又は２に記載する把手。
【発明の詳細な説明】
【０００１】
【発明の属する技術分野】
本発明は、例えば寿司ねた用のショーケースの如く、引き違い構造の扉を有するケースにおいて、その扉に取り付ける把手の改良に関し、特に扉がガラス製の場合に好適である。
【０００２】
【従来の技術】
図４に示すように、寿司ねた用ショーケースＣなどでは、取出口に引き違い構造の２枚のガラス扉１，１が設けられ、各扉１，１の側端部に把手２，２が取り付けられている。
【０００３】
【発明が解決しようとする課題】
ケースＣ内の収納物を取り出す際には、図５（Ａ）の位置にある扉１の一方を同図（Ｂ）のようにスライド移動させて取出口を開く。このとき、一方の扉１の端縁１ａが、もう一方の扉１に取り付けた把手２に当接するように設定されていることが多い。このため従来、勢いよく扉１を開けたときの衝撃力により、あるいは把手２と扉１との衝突が反復して行われることにより、扉１のガラス割れを招いたり、図６のように扉１の端縁１ａを一部欠損又は破損させたり、さらには図７のように把手２を変形させたりするという問題がある。
【０００４】
【課題を解決するための手段】
本発明は前記従来の問題を解決できる把手構造を提供するものである。本発明に係る把手の特徴とするところは、ケースの取出口に設けられる引き違い構造の扉に取り付けられる把手であって、該把手は、扉の端縁部に装着される基部と、該基部に突設された把持部とを備え、該把手における他の扉の端縁が面する領域であって、該把手基部の長手方向の両端部付近に、扉を開いたときに上記他の扉の端縁が当接して摺動し得る緩衝面を局所的に形成したことにある。
かかる構成により、扉を開いた際、他の扉の端縁は把手に形成した緩衝面に当接して摺動することになるから、把手に対する衝撃が緩和される。その結果、扉のガラス割れや端縁の破損、把手の変形等の諸問題を防止することができる。
【０００５】
緩衝面を形成する部位は、把手における他の扉の端縁が面する領域の全体ではなく、局所的に形成した方が好ましい。その理由は、把手の全長に渡って扉の端縁が当接する緩衝面を形成すると、扉を開けたときに把手と接触する面積が広くなるため、扉端縁及び把手の双方ともに衝撃を確実に受けるおそれがある。これに対し、緩衝面を局所的に（例えば把手の両端部にのみ）形成することにより、把手と扉端縁との接触面積を少なくでき、それだけ摩擦力も減らせるので、扉が把手に衝突したときに扉端縁が緩衝面に沿って摺動し易くなり、衝撃の緩和が確実になるからである。
【０００６】
なお本発明に係る把手において、前記緩衝面は、凹曲面又は傾斜面とすることが考えられる。
さらに前記把手において、基部の先端部位を先細り形状に形成することも可能である。通常、基部の先端部は、取出口の左右部分を構成するサイドフレーム等に設けた溝内へ収納されて、ケース内の気密性を確保するようになされている。従って、把手基部の先端部位を先細り形状とすることで、この先端部位をサイドフレーム等の溝内へ挿入させるのが円滑になる。
【０００７】
【発明の実施の形態】
図１は、本発明に係る把手１０の一実施形態を示すものである。当該把手１０は、ガラス板等よりなる扉１に装着されるものであって、扉端縁部１ｂに外嵌される基部１１と、この基部１１から扉１の表面側へ突出するように形成された把持部１２とから成っている。基部１１は、扉１の端縁部１ｂを挿入させるための嵌合スリット１３を基端側に有し、先端領域１４は先細りのテーパ形状に形成されている。
本発明の把手１０の製造材料は特に制限されないが、合成樹脂や、金属，セラミック等が用いられ、食品保存用のケースの扉に装着される場合は、抗菌剤を配合した合成樹脂を用いたり、抗菌性金属で製作したりすることも可能である。
【０００８】
本例では、本発明の特徴である緩衝面１５を、凹曲面より成るものとした。当該緩衝面１５は、基部１１の基端面１１ａから把持部１２にかけて形成されている。かかる構成により、図１（Ｂ）に示す如く、取出口を開くため一方の扉１を移動させた際、扉１の端縁１ａは把手１０の緩衝面１５に当接して摺動する。従って、扉１を勢いよく把手１０に衝突させた場合でも、扉端縁１ａが緩衝面１５に沿って摺動しようとすることにより衝撃が緩和され、扉１及び把手１０の破損及び変形を防ぐことができる。なお、スライド自在になされている扉１は、通常その全体が上下のレールで規制されているので、扉端縁１ａが緩衝面１５上を摺動したときに、扉１が脱落するおそれはない。
【０００９】
ところで本例では、緩衝面１５を把手基部１１の長手方向の両端部付近にのみ形成し、二つの緩衝面１５，１５の間は一段低い凹部１６となしてある。緩衝面１５を把手１０の全長にわたって形成せず、このように局所的に形成したことにより、扉１と把手１０との接触面積が減ずるため摩擦力が小さくなり、それだけ扉端縁１ａが緩衝面１５上を摺動し易くなるので、衝撃の緩和が確実になるという効果が得られる。
この場合、両端の緩衝面１５，１５の間に設けられる凹部１６のさらにその底面を、湾曲面とすることが望ましい。これは、把持部１２の根元部分にはゴミが溜まったり汚れが付着したりし易いが、本例の如く把持部１２の根元を湾曲面としておくことにより、清掃を簡単にできるという利点が得られるからである。
従来の把手（図５参照）は、基部の基端面から把持部が連続して立ち上がっている構造であったため、扉１と把手２の嵌合部分にゴミや汚れが溜まり易く、しかも、この部分の清掃が難しいという欠点があった。
【００１０】
ところで本例では、図２に示すように、把手基部１１に形成した嵌合スリット１３の開口縁部１３ａに面取りを施してテーパ面または湾曲面となし、扉端縁部１ｂの挿入が容易になされるようにしてある。
また嵌合スリット１３の内表面１３ｂを粗面とすることが望ましい。これは、把手１０と扉端縁部１ｂとは接着剤により固定されるので、嵌合スリット１３の内表面１３ｂを粗面としておくことにより、接着剤の固定強度を高めることができるからである。
さらに図３に示す如く、ケースの扉１が、裏面側において把手１０と当接するよう構成されている場合は、把手１０に扉１の裏面側へ突出する凹曲面等より成る緩衝面１７を形成することも可能である。
【００１１】
前述の実施形態は、把手１０に形成する緩衝面１５が凹曲面である場合について説明し、図面に示したものであるが、緩衝面１５の形態は、傾斜面やサイクロイド曲面等とすることも考えられる。
その他、本発明の実施形態は、前述した内容に限定されるものではなく、実施の状況に応じてさまざまに変更又は応用することを妨げない。
【００１２】
【発明の効果】
本発明によれば、ケースに引き違い構造の扉が設けられている場合において、扉を開けた際に、扉端縁が把手と衝突するときの衝撃を緩和できるので、扉の破損や把手の変形を防ぐことができる。従って本発明は、特に扉がガラス製等の損壊し易い材質の場合に、大きい効果をもたらす。
【図面の簡単な説明】
【図１】  本発明に係る把手の一実施形態を示すものであって、図（Ａ）は斜視図、図（Ｂ）は平面図である。
【図２】  本発明に係る把手の一実施形態を示すものであって、要部を拡大して示す平面断面図である。
【図３】  本発明に係る把手の他の実施形態を示す平面断面図である。
【図４】  従来の引き違い扉を有するケースの一例を示す正面図である。
【図５】  前記従来のケースの引き違い扉を取り出して示すものであって、図（Ａ）は閉じている状態の平面図、図（Ｂ）は開けた状態の平面図である。
【図６】  従来の把手における問題点を示す要部の正面図である。
【図７】  従来の把手における他の問題点を示す要部の平面断面図である。
【符号の説明】
Ｃ…ケース    １…扉  １ａ…端縁  １ｂ…端縁部  １０…把手  １１…基部  １２…把持部  １３…嵌合スリット  １４…先端領域  １５…緩衝面  １６…凹部
【図１】
0004348002.tif 000002
【図２】
0004348002.tif 000003
【図３】
0004348002.tif 000004
【図４】
0004348002.tif 000005
【図５】
0004348002.tif 000006
【図６】
0004348002.tif 000007
【図７】
0004348002.tif 000008